(57)【要約】【課題】一の治具で径の異なる配線束をずれなく支持できる布線治具を提供。【解決手段】基板面に取り付けられ、該基板上に配置される配線束を収容するフォーク部を有する布線治具において、  配線束収容径の異なるフォーク部を有する第１布線治具と第２布線治具とを備え、  第１布線治具と第２布線治具は前記基板に配置される回動軸体に角度を有して取り付けられ、  第１布線治具と第２布線治具の前記回動軸体を中心とする回動により、少なくとも、前記第１布線治具が基板に対して垂直に配置される第１態様と、前記第２布線治具が前記基板に対して垂直に配置される第２態様をとる。【選択図】図１
2006351309.tif 000002
【特許請求の範囲】
【請求項１】
基板面に取り付けられ、該基板上に配置される配線束を収容するフォーク部を備える布線治具において、
配線束収容径の異なるフォーク部を有する第１布線治具と第２布線治具とを備え、
第１布線治具と第２布線治具は前記基板に配置される回動軸体に角度を有して取り付けられ、
第１布線治具と第２布線治具の前記回動軸体を中心とする回動により、少なくとも、前記第１布線治具が基板に対してほぼ垂直に配置される第１態様と、前記第２布線治具が前記基板に対してほぼ垂直に配置される第２態様をとることを特徴とする布線治具。
【請求項２】
第１布線治具と第２布線治具の各フォーク部は、少なくとも、一対の側体部を有するＵ字形状部材から構成され、該一対の側体部の間の距離が前記配線束収容径に対応することを特徴とする請求項１に記載の布線治具。
【請求項３】
第１布線治具と第２布線治具の各フォーク部を構成するＵ字形状部材は、第１布線治具と第２布線治具の回動する面と平行する面内に配置されていることを特徴とする請求項２に記載の布線治具。
【請求項４】
第１布線治具と第２布線治具の各フォーク部は、それぞれ、前記一対の側体部の他に一の側体部が前記一対の側体部を含む平面と直交する直交面内に配置されて構成され、該直交面をその垂直方向側から観た場合に、前記一対の側体部と前記一の側体部とで、前記一対の側体部で構成されるフォーク部の配線束収容径と異なる配線束収容径を有する別個のフォーク部が構成されていることを特徴とする請求項２、３のいずれかに記載の布線治具。
【請求項５】
前記回転軸体は前記基板に固定される軸受け体に軸支されて配置されていることを特徴とする請求項１に記載の布線治具。
【請求項６】
第１布線治具と第２布線治具は約９０°の開き角度をもって前記回動軸体に取り付けられていることを特徴とする請求項１に記載の布線治具。
【請求項７】
第１布線治具と第２布線治具の回動によって、該第１布線治具が前記軸受け体に形成した第１ストッパに当接した際に、該第２布線治具が前記基板に対してほぼ垂直に配置され、該第２布線治具が前記軸受け体に形成した第２ストッパに当接した際に、該第１布線治具が前記基板に対してほぼ垂直に配置されることを特徴とする請求項５に記載の布線治具。
【請求項８】
シャフト部を介して基板に取り付けられ、該基板上に配置される配線束をフォーク部に収容させて支持する布線治具において、
配線収容径の異なるフォーク部をそれぞれ有する第１布線治具と第２布線治具とを備え、
第１布線治具はそのシャフト部にて基板に固定されて配置され、第２布線治具はそのシャフト部が前記第１布線治具のシャフト部に支持されその支持部を中心として回動できるように取り付けられ、
第２布線治具の前記回動により、少なくとも、該第２布線治具のフォーク部が前記第１布線治具のフォーク部とそれらの配線束収容軸がほぼ一致されて重ねられる第１態様と、該第２布線治具のフォーク部が前記第１布線治具のフォーク部に対して基板側に配置される第２態様をとることを特徴とする布線治具。
【請求項９】
第１布線治具と第２布線治具の各フォーク部は、それぞれ、少なくとも一対の側体部を有するＵ字形状部材から構成され、該一対の側体部の間の距離が前記配線束収容径に対応することを特徴とする請求項８に記載の布線治具。
【請求項１０】
第１布線治具と第２布線治具の各フォーク部を構成するＵ字形状部材は、第２布線治具の回動する面と直交する面内に配置されていることを特徴とする請求項９に記載の布線治具。
【請求項１１】
第１布線治具と第２布線治具の各フォーク部は、それぞれ、前記一対の側体部の他に一の側体部が前記一対の側体部を含む平面と直交する直交面内に配置されて構成され、該直交面をその垂直側から観た場合に、前記一対の側体部と前記一の側体部とで、前記一対の側体部で構成されるフォーク部の配線束収容径と異なる配線束収容径を有する別個のフォーク部が構成されていることを特徴とする請求項９に記載の布線治具。
【請求項１２】
第１布線治具のシャフト部にその長手方向に延在する長孔が形成され、該長孔内であって基板に近い側で第２布線治具のシャフト部が軸支され、
第２布線治具のフォーク部が第１布線治具のフォーク部とそれらの配線束収容軸が一致されて重ねられる第１態様の際に、第２布線治具のシャフト部の大部分が第１布線治具の前記長孔内に配置されることを特徴とする請求項９、１０、１１のいずれかに記載の布線治具。
【請求項１３】
第２布線治具のフォーク部に近接するシャフト部の一部に切り欠き部が設けられ、
第２布線治具のフォーク部が第１布線治具のフォーク部とそれらの配線束収容軸がほぼ一致されて重ねられる第１態様の際に、
該切り欠き部は第１布線治具のフォーク部の一部および該フォーク部に近接するシャフト部であって前記長孔が設けられていない部分を収容することを特徴とする請求項１２に記載の布線治具。
【発明の詳細な説明】
【技術分野】
【０００１】
本発明は布線治具に係り、配線束を所用形態に布線し、コネクタ、グロメット等の部品を取り付けるとともに、いわゆるワイヤハーネスの組み立てを行う際に用いられるもので、基板（ハーネス組み立て用基板）に固定されて前記配線束を支持する布線治具に関する。
【背景技術】
【０００２】
このような布線治具は、基板に垂直に配置されて用いられるのが通常であり、該基板に直接取り付けられるシャフト部と、このシャフト部の先端側に一体に取り付けられ配線束を収納して支持するフォーク部とを備えたものとして構成されている。
【０００３】
そして、該フォーク部は、たとえば、一対の側体部を有するＵ字形状部材から構成され、該一対の側体部の間の距離はいわゆる配線束収容径に対応するもので、経験則に応じて該距離の異なるものが数種類用意されている。
【０００４】
なお、このような構成からなる布線治具に関してはたとえば下記特許文献１に開示されている。
【特許文献１】実開平５−６８０２８号公報
【発明の開示】
【発明が解決しようとする課題】
【０００５】
しかし、上述したように、配線束収容径の異なる別種の布線治具を用意することは部品点数が多くなるとともに、その管理も煩雑になってしまうことはいうまでもない。
【０００６】
また、ワイヤハーネスの組み立ての際に、適当な配線束収容径を有する布線治具を適宜選択する煩雑さも免れ得ないことはもちろんである。
【０００７】
このようなことから、一の治具を用意するだけで、径の異なる複数の配線束をそのいずれにおいても中心のずれなく支持できる布線治具の出現が要望されるに至った。
【０００８】
本発明は、このような事情に基づいてなされたもので、その目的は、一の治具で径の異なる配線束をずれなく支持できる布線治具を提供することにある。
【課題を解決するための手段】
【０００９】
本願において開示される発明のうち、代表的なものの概要を簡単に説明すれば、以下のとおりである。
【００１０】
（１）本発明による布線治具は、たとえば、基板面に取り付けられ、該基板上に配置される配線束を収容するフォーク部を備える布線治具において、
配線束収容径の異なるフォーク部を有する第１布線治具と第２布線治具とを備え、
第１布線治具と第２布線治具は前記基板に配置される回動軸体に角度を有して取り付けられ、
第１布線治具と第２布線治具の前記回動軸体を中心とする回動により、少なくとも、前記第１布線治具が基板に対してほぼ垂直に配置される第１態様と、前記第２布線治具が前記基板に対してほぼ垂直に配置される第２態様をとることを特徴とする。
【００１１】
(２)本発明による布線治具は、たとえば、（１）の構成を前提とし、第１布線治具と第２布線治具の各フォーク部は、少なくとも、一対の側体部を有するＵ字形状部材から構成され、該一対の側体部の間の距離が前記配線束収容径に対応することを特徴とする。
【００１２】
（３）本発明による布線治具は、たとえば、（２）の構成を前提とし、第１布線治具と第２布線治具の各フォーク部を構成するＵ字形状部材は、第１布線治具と第２布線治具の回動する面と平行する面内に配置されていることを特徴とする。
【００１３】
（４）本発明による布線治具は、たとえば、（１）、（２）のいずれかの構成を前提とし、第１布線治具と第２布線治具の各フォーク部は、それぞれ、前記一対の側体部の他に一の側体部が前記一対の側体部を含む平面と直交する直交面内に配置されて構成され、該直交面をその垂直方向側から観た場合に、前記一対の側体部と前記一の側体部とで、前記一対の側体部で構成されるフォーク部の配線束収容径と異なる配線束収容径を有する別個のフォーク部が構成されていることを特徴とする。
【００１４】
（５）本発明による布線治具は、たとえば、（１）の構成を前提とし、前記回転軸体は前記基板に固定される軸受け体に軸支されて配置されていることを特徴とする。
【００１５】
（６）本発明による布線治具は、たとえば、（１）の構成を前提とし、第１布線治具と第２布線治具は約９０°の開き角度をもって前記回動軸体に取り付けられていることを特徴とする。
【００１６】
（７）本発明による布線治具は、たとえば、（５）の構成を前提とし、第１布線治具と第２布線治具の回動によって、該第１布線治具が前記軸受け体に形成した第１ストッパに当接した際に、該第２布線治具が前記基板に対してほぼ垂直に配置され、該第２布線治具が前記軸受け体に形成した第２ストッパに当接した際に、該第１布線治具が前記基板に対してほぼ垂直に配置されることを特徴とする。
【００１７】
（８）本発明による布線治具は、たとえば、シャフト部を介して基板に取り付けられ、該基板上に配置される配線束をフォーク部に収容させて支持する布線治具において、
配線収容径の異なるフォーク部をそれぞれ有する第１布線治具と第２布線治具とを備え、
第１布線治具はそのシャフト部にて基板に固定されて配置され、第２布線治具はそのシャフト部が前記第１布線治具のシャフト部に支持されその支持部を中心として回動できるように取り付けられ、
第２布線治具の前記回動により、少なくとも、該第２布線治具のフォーク部が前記第１布線治具のフォーク部とそれらの配線束収容軸がほぼ一致されて重ねられる第１態様と、該第２布線治具のフォーク部が前記第１布線治具のフォーク部に対して基板側に配置される第２態様をとることを特徴とする。
【００１８】
（９）本発明による布線治具は、たとえば、（８）の構成を前提とし、第１布線治具と第２布線治具の各フォーク部は、それぞれ、少なくとも一対の側体部を有するＵ字形状部材から構成され、該一対の側体部の間の距離が前記配線束収容径に対応することを特徴とする。
【００１９】
（１０）本発明による布線治具は、（９）の構成を前提とし、前記１布線治具と第２布線治具の各フォーク部を構成するＵ字形状部材は、第２布線治具の回動する面と直交する面内に配置されていることを特徴とする。
【００２０】
（１１）本発明による布線治具は、たとえば、（９）の構成を前提とし、第１布線治具と第２布線治具の各フォーク部は、それぞれ、前記一対の側体部の他に一の側体部が前記一対の側体部を含む平面と直交する直交面内に配置されて構成され、該直交面をその垂直側から観た場合に、前記一対の側体部と前記一の側体部とで、前記一対の側体部で構成されるフォーク部の配線束収容径と異なる配線束収容径を有する別個のフォーク部が構成されていることを特徴とする。
【００２１】
（１２）本発明による布線治具は、たとえば、（９）、（１０）、（１１）のいずれかの構成を前提とし、第１布線治具のシャフト部にその長手方向に延在する長孔が形成され、該長孔内であって基板に近い側で第２布線治具のシャフト部が軸支され、
第２布線治具のフォーク部が第１布線治具のフォーク部とそれらの配線束収容軸が一致されて重ねられる第１態様の際に、第２布線治具のシャフト部の大部分が第１布線治具の前記長孔内に配置されることを特徴とする。
【００２２】
（１３）本発明による布線治具は、たとえば、（１２）の構成を前提とし、第２布線治具のフォーク部に近接するシャフト部の一部に切り欠き部が設けられ、
第２布線治具のフォーク部が第１布線治具のフォーク部とそれらの配線束収容軸がほぼ一致されて重ねられる第１態様の際に、
該切り欠き部は第１布線治具のフォーク部の一部および該フォーク部に近接するシャフト部であって前記長孔が設けられていない部分を収容することを特徴とする。
【００２３】
なお、本発明は以上の構成に限定されず、本発明の技術思想を逸脱しない範囲で種々の変更が可能である。
【発明を実施するための最良の形態】
【００２４】
以下、本発明による布線治具の実施例を図面を用いて説明をする。
【００２５】
図１（ａ）、（ｂ）は、ハーネス組み立て用の基板２に固定された布線治具１の一実施例を示す構成図で、図１（ａ）は正面図、図１（ｂ）は側面図を示している。
【００２６】
［全体の概略構成］
まず、図１（ａ）、（ｂ）に示す布線治具１の構成および作用の概要を説明する。基板２の所定の個所に軸受け体３が配置されている。前記基板２の軸受け体の取り付け個所に相当する部分には孔が形成され、この孔内に該軸受け体３が途中まで挿入され、それ以上の挿入は該軸受け体３の外方側面に形成された留め具材４が基板２の表面で係止されることによって止まっている。そして、留め具材４には、基板２に形成された孔と中心軸が一致される孔が形成され、これら各孔にたとえば軸受け体３側から基板２側へ挿入されたボルト５Ａに基板２の裏側に配置させたナット５Ｂを螺入させることにより、該軸受け体３が基板２に固定されている。なお、該ボルトナット５Ａ、５Ｂは、軸受け体３の一方の側面側に２個、該一方の側面と対向する他方の側面側に２個取り付けられようになっており、これにより、合計４個用いられるようになっている。なお、この軸受け体３の構成は後に詳述する。
【００２７】
軸受け体３には回転可能に内蔵される回転軸体６が配置されている。すなわち、前記軸受け体３はその上面おいて一方向に延在する溝７が、該軸受け体３の一端側からその一端側に対向する他端側にまで及んで形成されている。前記回転軸体６は、この溝７内に配置され、その軸体６Ａは、該溝７の内壁面に形成された軸孔７Ａによって軸支されている。
【００２８】
これにより、該回転軸体６の回転によるその周側面の動きの方向は前記溝７の走行方向と一致するようになっている。なお、この回転軸体６の構成は後に詳述する。
【００２９】
そして、該回転軸体６の周側面には第１布線治具８が該周側面に対して垂直となるようにして取り付けられている。この第１布線治具８の詳細な構成は後に説明するが、前記回転軸体６に直接取り付けられるシャフト部８Ａと、このシャフト部８Ａの先端に設けられる小径フォーク部８Ｂと大径フォーク部８Ｃとを備えて構成される。また、該回転軸体６の周側面には第２布線治具９が該周側面に対して垂直となるように、かつ、前記第１布線治具８に対し約９０°の開き角度を有する位置に取り付けられている。この第２布線治具９の詳細な構成も後に説明するが、前記回転軸体６に直接取り付けられるシャフト部９Ａと、このシャフト部９Ａの先端に設けられる小径フォーク部９Ｂと大径フォーク部９Ｃとを備えて構成される。また、第１布線治具８の小径フォーク部８Ｂと大径フォーク部８Ｃ、第２布線治具９の小径フォーク部９Ｂと大径フォーク部９Ｃは、いずれも配線束を収容支持するように、しかも、異なる径の配線束を収容支持するように構成されている。
【００３０】
このことから、たとえば図１（ａ）に示すように、第１布線治具８と第２布線治具９とが実線に示す位置にある場合、布線治具として機能するのは基板２に対して垂直配置されている第１布線治具８であり、この第１布線治具８はその小径フォーク部８Ｂと大径フォーク部８Ｃのうちいずれかのフォーク部を用いて配線束を収容支持することができることになる。そして、第１布線治具８と第２布線治具９とを、図中矢印方向に示すように、９０°の回動を行って、点線に示す位置に変更させた場合、布線治具として機能するのは基板２に対して垂直配置されている第２布線治具９であり、この第２布線治具９はその小径フォーク部９Ｂと大径フォーク部９Ｃのうちいずれかのフォーク部を用いて配線束を収容支持することができることになる。したがって、一の布線治具によって、それぞれ配線束収容径の異なる４個のフォーク部８Ｂ、８Ｃ、９Ｂ、９Ｃから適切なフォーク部を選択できることになる。このことは、一の布線治具で径の異なる配線束をずれなく支持できることを意味する。
【００３１】
なお、前記軸受け体３の回転軸体６の配置部は、上述したように、該軸受け体３の一端側からその一端側に対向する他端側にまで一方向に及んで形成される溝７として形成しているため、図１（ａ）の実線から点線で示す第１布線治具８および第２布線治具９の動きにおいて、それを妨げる部材がなく、少なくとも９０°の範囲の回動ができるうようになる。
【００３２】
以下、上述した第１布線治具８、第２布線治具９、回転軸体６および軸受け体３についてその詳細な構成を説明する。
【００３３】
［第１布線治具８］
第１布線治具８は、図２（ａ）、（ｂ）に示すように構成されている。図２（ａ）は第１布線治具８を小径フォーク部８Ｂの全体を目視できる側から観た図で、図２（ｂ）は該第１布線治具８を大径フォーク部８Ｃの全体を目視できる側から観た図である。ここで、大径フォーク部８Ｃを含む仮想の面は小径フォーク部８Ｂを含む仮想の面に対し直交する面となっている。
【００３４】
第１布線治具８は、棒状からなるシャフト部８Ａの一端側に小径フォーク部８Ｂと大径フォーク部８Ｃとを備えて構成されている。
【００３５】
小径フォーク部８Ｂは、その材料として断面がたとえば円形の剛性部材が用いられ、その部材をＵ字形状に屈曲させて構成され、これによりシャフト部８Ａ側で互いに連結された一対の側体部８ｂ、８ｂ’を有するようになっている。そして、この一対の側体部８ｂ、８ｂ’の間の距離が配線束収容径に対応しており、該距離は小径フォーク部８Ｂの名の示す通りに比較的小さくなっている。なお、この小径フォーク部８Ｂは前記シャフト部８Ａに直接には固定されておらず、後述の大径フォーク部８Ｃと一体となって構成されるようになっている。
【００３６】
大径フォーク部８Ｃは、小径フォーク部８Ｂと同様、断面がたとえば円形の剛性部材が用いられ、その部材をＪ字形状に屈曲させて構成させ、かつ、その一端側に前記小径フォーク部８Ｂをたとえば溶接等で固定させることにより構成させたものとなっている。
【００３７】
すなわち、Ｊ字形状の部材に対し、該部材を含む仮想の平面と直交する平面内に該小径フォーク部８Ｂを配置させるとともに、該小径フォーク部８Ｂの各側体部８ｂ、８ｂ’の連結部８ｂ”にて接続固定させることで、該Ｊ字形状の部材がＵ字形状の部材として目視でき、このＵ字形状の部材がそのまま大径フォーク部８Ｃとして機能するようになる。このため、大径フォーク部８Ｃは一対として構成される側体部８ｃ、８ｃ’の一方が一個、他方が２個（小径フォーク部８Ｂの各側体部）として構成されることになるが、このことがフォーク部としての機能を損なうことがないことはいうまでもない。そして、この一対の側体部８ｃ、８ｃ’の間の距離が配線束収容径に対応しており、該距離は大径フォーク部８Ｃの名の示す通りに比較的大きくなっている。
【００３８】
図２（ａ）には、小径フォーク部８Ｂに支持される配線束の径を実線丸で示し、その大きさを大径フォーク部８Ｃに支持される配線束の径（点線丸で示している）と比較して示し、図２（ｂ）には、大径フォーク部８Ｃに支持される配線幅の径を実線丸で示し、その大きさを小径フォーク部８Ｂに支持される配線束の径（点線丸で示している）と比較して示している。また、さらに、図３では、第１布線治具８を上面から観た図で、小径フォーク部８Ｂと大径フォーク部８Ｃの各側体部の位置関係と、小径フォーク部８Ｂに支持される配線束と大径フォーク部８Ｃに支持される配線束の各径の大小関係を図中点線丸で示している。
【００３９】
なお、前記シャフト部８Ａの他端側には、前記回転軸体６に螺入されて該回転軸体６に固定させるためのねじ部８Ｌが形成されている。
【００４０】
［第２布線治具９］
第２布線治具９は、図４（ａ）、（ｂ）に示すように構成されている。図４（ａ）は第２布線治具９を小径フォーク部９Ｂの全体を目視できる側から観た図で、図４（ｂ）は該第１布線治具９を大径フォーク部９Ｃの全体を目視できる側から観た図である。ここで、大径フォーク部９Ｃを含む仮想の面は小径フォーク部９Ｂを含む仮想の面に対し直交する面となっている。
【００４１】
第２布線治具９は第１布線治具８とほぼ同様に構成となっている。すなわち、第２布線治具９は、そのシャフト部９Ａにおいて第１布線治具８のシャフト部８Ａと全く同一（特に、その長さ）に構成されているのに対し、小径フォーク部９Ｂにおいてその配線束収容径が第１布線治具８の小径フォーク部８Ｂの配線収容径よりも小さく、大径フォーク部９Ｃにおいてその配線束収容径が第１布線治具８の大径フォーク部８Ｃの配線収容径よりも小さく形成されているにすぎない。
【００４２】
そして、本実施例による布線治具１は、それが一個のものにあって、各フォーク部が支持できる配線束の径は、その大小関係において、第１布線治具８の大径フォーク部８Ｃ＞第１布線治具８の小径フォーク部８Ｂ＞第２布線治具９の大径フォーク部９Ｃ＞第２布線治具９の小径フォーク部９Ｂとなっており、これらのフォーク部の適切な選択により、ほぼ４つの異なる径の配線束を支持することが可能となる。
【００４３】
なお、図５は、図３と同様、第２布線治具９を上方から観た図で、小径フォーク部９Ｂと大径フォーク部９Ｃの各側体部の位置関係と、小径フォーク部９Ｂに支持される配線束と大径フォーク部９Ｃに支持される配線束の各径の大小関係を図中点線丸で示している。
【００４４】
［回転軸体６とその軸受け体３］
図６(ａ)、(ｂ)は、前記第１布線治具８および第２布線治９具を固定する回転軸体６と、この回転軸体６を支軸させる軸受け体３を示す構成図で、図６（ａ）は正面図、図６（ｂ）は側面図である。なお、図６（ａ）、図６（ｂ）において、それぞれ、回転軸体６と軸受け体３を分離させて描いており、図中上側に回転軸体６を、下側に軸受け体３を示している。
【００４５】
回転軸体６は、円筒体にその周面を除く他の面の該円筒体の中心軸に相当する部分から軸体６Ａを突出させて構成されている。そして、この回転軸体６の周面には２個の螺子孔６Ｓ、６Ｓ’が形成され、これら各螺子孔６Ｓ、６Ｓ’は該回転軸体６の中心軸に指向して形成されているとともに、その開き角度が約９０°となっている。回転軸体６の一方の螺子孔６Ｓには第１布線治具８のシャフト部８Ａの他端が螺入されるようになっており、他方の螺子孔６Ｓ’には第２布線治具９のシャフト部９Ａの他端が螺入されるようになっている。これにより、第１布線治具８および第２布線治具９はそれらが開き角度約９０°で回転軸体６に取り付けられることになる。
【００４６】
また、軸受け体３は、前記回転軸体６の周面を除く側面のそれぞれに対向して配置される各支持板３ａ、３ｂとこれら支持板３ａ、３ｂをその下部側で連結させる底板３ｃとから構成されている。前記各支持板３ａ、３ｂは他の一方の支持板に対向する側の面において軸孔７Ａが設けられている。前記回転軸体６は前記各支持板３ａ、３ｂの間に配置されるとともに、その軸体６Ａがそれぞれ対向する側の支持体３ａ、３ｂに形成された前記軸孔７Ａに挿入されるようになっている。
【００４７】
そして、前記底板３ｃの回転軸体６に対向する側の面において、円弧状に抉られた溝部３Ｍであって、前記回転軸体６を収容できる部分を有し、かつ、前記溝部３Ｍを開孔として形成する平坦部３Ｐを、前記回転軸体の回転角度範囲を約９０°に制限させるための回動規制部、すなわち、第１ストッパ３Ｐ１および第２ストッパ３Ｐ２として機能させている。回転軸体６を回転させた場合（実際には第１布線治具８あるいは第２布線治具９をもって回転させる）、第１ストッパ３Ｐ１に近い側のたとえば第２布線治具９が該第１ストッパ３Ｐ１に当接した際にはそれ以上の回動が規制され、第２ストッパ３Ｐ２に近い側の第１布線治具８が該第２ストッパ３Ｐ２に当接した際にはそれ以上の回動が規制され、結果として該回転軸体６は約９０°の範囲でしか回動できなくなる。
【００４８】
そして、回転軸体６に取り付けられた第１布線治具８と第２布線治９具は上述したように約９０°の開き角度を有して配置されていることから、たとえば第２布線治具９が該第１ストッパ３Ｐ１に当接した際には第１布線治具８は軸受け体３に対して垂直配置され、第１布線治具８が該第２ストッパ３Ｐ２に当接した際には第２布線治具９は軸受け体３に対して垂直配置されるようになる。
【００４９】
また、軸受け体３は、それを基板２に取り付けるため、各支持体３ａ、３ｂの外方側面において、該基板２と平行に延在する留め具材４が形成されている。各留め具材４には孔が形成され、前記基板２に形成された孔とそれらの中心軸を一致させた後に、各孔を通して、たとえば軸受け体３側から基板２側へ挿入されたボルトに基板の裏側に配置させたナットを螺入させることにより、該軸受け体３を基板２に固定させることができる。
【００５０】
［他の実施例］
なお、図１に示した実施例では、第１布線治具８および第２布線治具９において、そのいずれにも小径フォーク部８Ｂ、９Ｂの他に、大径フォーク部８Ｃ、９Ｃを備えた構成としたものである。しかし、大径フォーク部８Ｃ、９Ｃを備えることなく、小径フォーク部８Ｂ、９Ｂを備えた構成であってもよいことはもちろんである。また、第１布線治具８および第２布線治具９のうち、いずれか一方の布線治具において大径フォーク部を設けることなく構成してもよいことはいうまでもない。配線束収容径の異なるフォーク部を幾つ必要とするかはワイヤハーネスの組み立ての状況あるいは背景等によって異なるものであり、これら状況あるいは背景等によって配線束収容径の異なるフォーク部を幾つにするかが決定されるからである。
【００５１】
図７（ａ）、（ｂ）は、ハーネス組み立て用の基板２に固定される布線治具１の他の実施例を示す構成図で、図７（ａ）は正面図、図７（ｂ）は側面図を示している。
【００５２】
［全体の概略構成］
まず、基板１２に固定して配置される第１布線治具１８がある。この第１布線治具１８は、基板１２に直接に取り付けられるシャフト部１８Ａと、このシャフト部１８Ａの先端にたとえば溶接等で固定されるフォーク部１８Ｂとから構成されている。このフォーク部１８Ｂは、その配線束収容径が、たとえば後述する第２布線治具１９のフォーク部１９Ｂの配線収容径よりも、大きく形成されている。前記シャフト部１８Ａの基板１２に直接取り付けられる側にはフランジ１３が形成されこのフランジ１３を超えて他端にまで及ぶ部分には螺子１４が形成されている。第１布線治具１０は、該螺子１４が形成された部分を基板１２に形成された孔１２Ａに前記フランジ１３が基板１２に当接されるまで挿入し、該板１２の裏面に配置されるナット１５を螺合させることにより、基板１２に取り付けられるようになっている。なお、この第１布線治具１８の構成は後に詳述する。
【００５３】
そして、このように構成される第１布線治具１８には第２布線治具１９が一体に備えられたものとして形成されている。第２布線治具１９は、シャフト部１９Ａおよびフォーク部１９Ｂを備え、基板１２に取り付ける部分を有しない点を除き（その代わり、第１布線治具１８に取り付けられるようになっている）、第１布線治具１８とほぼ同様の構成からなっている。また、第２布線治具１９のフォーク部１９Ｂの配線束収容径は、第１布線治具１８のフォーク部１８Ａの配線束収容径よりも小さく形成されていることは上述した通りである。この第２布線治具１９の構成は後にに詳述する。
【００５４】
該第２布線治具１９はそのシャフト部１９Ａが第１布線治具１８のシャフト部１８Ａに支持されその支持部２０を中心として回動できるように取り付けられている。第２布線治具１９の該支持部２０を中心とする回動の方向は、この実施例の場合、たとえば第１布線治具１８あるいは第２布線治具１９が支持する配線束の走行方向と一致づけられるようになっており、その取り付け構造については後に詳述する。
【００５５】
そして、前記第２布線治具１９の上述した回動は、少なくとも、該第２布線治具１９のフォーク部１９Ｂが第１布線治具１８のフォーク部１８Ｂが重ねられて配置される態様と、該第２布線治具のフォーク部１９Ｂが第１布線治具１８のフォーク部１８Ｂに対して基板１２側へ配置される態様とをとり得るようになっている。前者の態様の場合、第２布線治具１９のフォーク部１９Ｂは、その配線束収容軸が第１布線治具１８のフォーク部１８Ｂの配線収容軸とほぼ一致するように配置され、しかも、第２布線治具１９のフォーク部１９Ｂの配線束収容径は、第１布線治具１８のフォーク部１８Ａの配線束収容径よりも小さく形成されていることから、配線束は第２布線治具１９のフォーク部１９Ｂによって支持されることになる。ここで、各フォーク部の配線束収容軸は、フォーク部にそれに適合する径を有する配線束を収納させた場合、該配線束の中心軸に相当するものである。また、後者の態様の場合、第２布線治具１８は配線束を支持する役割を放棄した態様となることから、配線束は第１布線治具１８のフォーク部１８Ｂによって支持されることになる。
【００５６】
［第１布線治具１８］
図８（ａ）、（ｂ）は、前記第１布線治具１８を示す構成図で、図８（ａ）は正面図、図８（ｂ）は側面図である。まず、第１布線治具１８のシャフト部１８Ａにはその軸方向に沿ってスリット孔２１が形成されている。このスリット孔２１は、基板１２側の端部において第２布線治具１９のシャフト部１９Ｂを支軸させ、この支軸された第２布線治具１９のシャフト部１９Ｂの一部を収容させるための孔となっている。第１布線治具１８のシャフト部１８Ａにおいて、第２布線治具１９のシャフト部１９Ｂを支軸させる部分には、該スリット孔２１と交差するようにして支軸孔２０Ａが形成されている。なお、後述するが第２布線治具１９のシャフト部１９Ａにおいても支軸孔２０Ｂが設けられており、たとえば、これら各支軸孔２０Ａ、２０Ｂにたとえば図示しないピンを挿入配置させることで、第１布線治具１８の第２布線治具１８に対する前記支持部２０を構成するようになっている。
【００５７】
また、シャフト部１８Ａの先端にはフォーク部１８Ｂが設けられ、このフォーク部１８Ｂは、その材料として断面がたとえば円形の剛性部材が用いられ、その部材をＵ字形状に屈曲させて構成され、これによりシャフト部１８Ａ側で互いに連結された一対の側体部１８ｂ、１８ｂ’を有するようになっている。そして、この一対の側体部１８ｂ、１８ｂ’の間の距離が配線束収容径に対応している。なお、この第１布線治具１８のフォーク部１８Ｂは、その配線束収容径において、この実施例の場合、たとえば後述の第２布線治具１９のフォーク部１９Ｂの配線束収容径よりも大きく形成されている。また、前記フォーク部１８Ｂの各側体部１８ｂ、１８ｂ’を含む仮想の面は、シャフト部１８Ａに形成されたスリット孔２１を含む仮想の面に対して直交する関係となっている。
【００５８】
［第２布線治具１９］
図９（ａ）、（ｂ）は、前記第２布線治具１９を示す構成図で、図９（ａ）は正面図、図９（ｂ）は側面図である。第２布線治具１９のシャフト部１９Ａにはその基板１２側の端部において支軸孔２０Ｂが設けられ、該シャフト部１９の該支軸孔２０Ｂの軸方向に一致する厚さは第１布線治具１８の前記スリット孔２１の幅よりも狭く形成されている。該スリット孔２１内に第２布線治具１９のシャフト部１９Ａの一部を収納させる形態をとるからである。
【００５９】
シャフト部１９Ａの先端に設けられるフォーク部１９Ａは、その材料として断面がたとえば円形の剛性部材が用いられ、その部材をＵ字形状に屈曲させて構成され、これによりシャフト部１９Ａ側で互いに連結された一対の側体部１９ｂ、１９ｂ’を有するようになっている。そして、この一対の側体部１９ｂ、１９ｂ’の間の距離が配線束収容径に対応し、上述したように、この配線束収容径は、第１布線治具１８のフォーク部１８Ａの配線束収容径よりも小さく構成されている。また、前記フォーク部１９Ｂの各側体部１９ｂ、１９ｂ’を含む仮想の面は、第１布線治具１８のシャフト部１８Ａに形成されたスリット孔２１を含む仮想の面に対して直交する関係となっている。
【００６０】
さらに、第２布線治具１９には、そのフォーク部１９Ｂに近接するシャフト部１９Ａの部分において切り欠き部２３が形成されている。この切り欠き部２３は、この第２布線治具１９を基板１２に対して垂直に位置づけようと回動させた場合に、第１布線治具１８との干渉をなるべく回避させんがため、該第１布線治具１８のフォーク部１８Ｂの一部および該フォーク部１８Ｂに近接するシャフト部１８Ａであって前記スリット孔２１が設けられていない部分を収容させ、該第１布線治具１８をなるべく垂直に位置づけられるようにするためである。
【００６１】
［他の実施例］
図７に示した実施例では、第２布線治具１９の回動の方向は第１布線治具１８あるいは第２布線治具１９が支持する配線束の走行方向と一致づけられるようになっているものである。しかし、これに限定されることはなく、配線束の走行方向に直交する方向に回動するように構成するようにしてもよいことはいうまでもない。この場合、第１布線治具１８のシャフト部１８Ａにスリット孔２１を設ける必要はなく、第２布線治具１９のシャフト部１９Ａを第１布線治具１８のシャフト部１８Ａに直接に支軸させる構成を採用することができる。また、第１布線治具１８のフォーク部１８Ｂおよび第２布線治具１９のフォーク部１９Ｂの構成としては、図８、図９に示すようにしたものが好適である。
【００６２】
また、図７に示した実施例では、第１布線治具１８および第２布線治具１９は、それぞれ一つのフォーク部１８Ｂ、１９Ｂを備えたものとして構成したものである。しかし、これに限定されることはなく、図１に示したように、第１布線治具１８に二つのフォーク部を、第２布線治具１９に二つのフォーク部を備えるように構成してもよいことはいうまでもない。この場合、図８および図９に示す一対の側体部の他に一の側体部が前記一対の側体部を含む平面と直交する直交面内に配置されて構成させ、該直交面をその垂直側から観た場合に、前記一対の側体部と前記一の側体部とで別個のフォーク部を構成するようにすればよい。また、第１布線治具１８および第２布線治具１９のうち、一方が一つのフォーク部を備え、他方が二つのフォーク部を備えるように構成してもよいことはもちろんである。
【００６３】
上述した各実施例はそれぞれ単独に、あるいは組み合わせて用いても良い。それぞれの実施例での効果を単独であるいは相乗して奏することができるからである。
【図面の簡単な説明】
【００６４】
【図１】本発明による布線治具の一実施例を示す構成図で、（ａ）は正面図、（ｂ）は側面図である。
【図２】図１に示される第１布線治具の一実施構成図で、（ａ）は正面図、（ｂ）は側面図である。
【図３】図２に示される第１布線治具を上方から観た平面図である。
【図４】図１に示される第２布線治具の一実施例を示す構成図で、（ａ）は正面図、（ｂ）は側面図である。
【図５】図４に示される第２布線治具を上方から観た平面図である。
【図６】図１に示される回転軸体と軸受け体の一実施例を示す構成図で、（ａ）は正面図、（ｂ）は側面図である。
【図７】本発明による布線治具の他の実施例を示す構成図で、（ａ）は正面図、（ｂ）は側面図である。
【図８】図７に示される第１布線治具の一実施構成図で、（ａ）は正面図、（ｂ）は側面図である。
【図９】図７に示される第２布線治具の一実施構成図で、（ａ）は正面図、（ｂ）は側面図である。
【符号の説明】
【００６５】
１……布線治具、２……基板、３……軸受け体、４……留め具材、５Ａ……ボルト、５Ｂ……ナット、６……回転軸体、６Ａ……軸体、７……溝、７Ａ……軸孔、８……第１布線治具、８Ａ……シャフト部、８Ｂ……小径フォーク部、８Ｃ……大径フォーク部、９……第２布線治具、９Ａ……シャフト部、９Ｂ……小径フォーク部、９Ｃ……大径フォーク部、１０……布線治具、１８……第１布線治具、１８Ａ……シャフト部、１８Ｂ……フォーク部、１９……第２布線治具、１９Ａ……シャフト部、１９Ｂ……フォーク部、２０……支軸部、２０Ａ、２０Ｂ……支軸孔。２１……スリット孔、２３……切り欠き部。
【図１】
2006351309.tif 000003
【図２】
2006351309.tif 000004
【図３】
2006351309.tif 000005
【図４】
2006351309.tif 000006
【図５】
2006351309.tif 000007
【図６】
2006351309.tif 000008
【図７】
2006351309.tif 000009
【図８】
2006351309.tif 000010
【図９】
2006351309.tif 000011